(57)【要約】【課題】枠状部材の一側を回動支点として枠状部材の前面側を開閉可能に取り付けられた開閉部材の開閉操作が円滑な遊技機を提供する。【解決手段】パチンコ機１は、矩形状の中枠４と、その中枠４の一側を回動支点として中枠４の前面側を開閉可能に取り付けられた前面枠６とを備える。中枠４の下枠には、前面枠６の回動支点に近い側に案内部２２が設けられている。案内部２２には、閉鎖方向に回動する前面枠６を上方に案内する傾斜案内面２５が設けられている。傾斜案内面２５は、前後方向には前側から後側に向かって高くなる方向であって、左右方向には回動支点に近い側から遠い側に向かって高くなる方向に傾斜している。【選択図】図４
2011224312.tif 000002
【特許請求の範囲】
【請求項１】
枠状部材と、
その枠状部材の一側を回動支点として枠状部材の前面側を開閉可能に取り付けられた開閉部材と、
前記枠状部材に、開閉部材を閉めた状態で開閉部材の下側に対向する対向部とを備え、
その対向部には、閉鎖方向に回動する開閉部材を上方に案内する傾斜案内面が設けられている遊技機において、
前記傾斜案内面は、前後方向には前側から後側に向かって高くなる方向であって、左右方向には回動支点に近い側から遠い側に向かって高くなる方向に傾斜していることを特徴とする遊技機。
【発明の詳細な説明】
【技術分野】
【０００１】
本発明は、枠状部材の一側を回動支点として枠状部材の前面側を開閉可能に取り付けられた開閉部材を備えた遊技機に関する。
【背景技術】
【０００２】
一般に、パチンコ機は、パチンコホールに設置するときの設置台になる矩形状の外枠と、その外枠の一側を回動支点として外枠の前面側を開閉可能に取り付けられた矩形状の中枠と、その中枠の一側を回動支点として中枠の前面側を開閉可能に取り付けられた前面枠とを備えている。中枠には、遊技球が転動する遊技盤や大当たり抽選を演出表示する表示装置などが装着され、前面枠には、遊技盤を視認可能に覆うガラス板が装着される。
【０００３】
そして、遊技盤内で球詰まりなどのトラブルが発生した場合、パチンコホールの従業員はそのトラブルを取り除くために前面枠を開放する。このとき、前面枠は、ガラス板やその他の付属品の重みで先端側が回動支点側よりも下がった状態となりやすく、特に、長期にわたって開閉動作を繰り返すと、回動支点の遊びが次第に大きくなるので、前面枠の垂れ下がりが大きくなる。この場合、前面枠を閉めるときに前面枠の下端が中枠の縁に干渉するのを防止するため、前面枠を持ち上げ気味にする必要が生じる。
【０００４】
また中枠も、遊技盤や表示装置や各種制御基板などの重みで相当の重量があるので、遊技盤の交換や点検をしようと中枠を開放したときに、中枠の先端側が回動支点側よりも下がった状態となる傾向がある。そのため、中枠を閉めるときに中枠の下端が外枠の縁に干渉するのを防止するため、中枠を持ち上げ気味にする必要があった。
【０００５】
そこで、中枠の開閉を円滑にするため、特許文献１に記載されたパチンコ機が提案されている。このパチンコ機においては、外枠の下枠に、中枠を閉めた状態で中枠の下側に対向する案内板が固定されており、その案内板の上面に、前側から後側に向かって高くなる傾斜案内面が設けられ、中枠を閉める際に中枠が傾斜案内面で上方に案内されるようになっている。そのため、中枠を閉めるときに中枠を持ち上げ気味にしなくても、中枠の下端が外枠の縁に干渉するのを防止することができる。この傾斜案内面は、中枠の回動支点に近い側と遠い側の左右２箇所に設けられている。
【先行技術文献】
【特許文献】
【０００６】
【特許文献１】特開２００５−１３１３３２号公報
【発明の概要】
【発明が解決しようとする課題】
【０００７】
ところで、中枠を閉めるときの中枠の動きは回動運動なので、この中枠の進行方向は、前後方向と左右方向の両方の成分をもつ斜めの方向である。そのため、中枠を閉めるときに、中枠の傾斜案内面への進入方向が、前後方向に対して斜めの方向となり、特に、左右２箇所の傾斜案内面のうち、中枠の回動支点に近い側の傾斜案内面においては、中枠の回転半径が小さいのでその傾向が顕著である。
【０００８】
一方、上記特許文献１に記載された傾斜案内面は、前後方向には前側から後側に向かって高くなる方向の傾斜がついているが、左右方向には傾斜がついていない。そのため、中枠を閉鎖方向に回動させて、中枠が傾斜案内面への接触を開始するときに、中枠が傾斜案内面の側縁に急に乗り上げる形となり、中枠を閉めるときの抵抗が大きく、中枠を円滑に開閉できないという問題があった。パチンコ以外の遊技機（スロットマシン等）でも同様の問題が起きる可能性がある。
【０００９】
本発明の目的は、枠状部材の一側を回動支点として枠状部材の前面側を開閉可能に取り付けられた開閉部材の開閉操作が円滑な遊技機を提供することである。
【課題を解決するための手段】
【００１０】
上記目的を達成するために本発明では、閉鎖方向に回動する開閉部材を上方に案内する傾斜案内面が、前後方向には前側から後側に向かって高くなる方向であって、左右方向には回動支点に近い側から遠い側に向かって高くなる方向に傾斜している。
【００１１】
このように、本発明においては、傾斜案内面が前後方向の傾斜に加えて、左右方向にも回動支点に近い側から遠い側に向かって高くなる方向に傾斜しているので、開閉部材を閉めるときに、開閉部材の傾斜案内面への進入方向が、傾斜案内面の傾斜に対してほぼ正面から進入する方向となる。したがって、開閉部材が傾斜案内面への接触を開始するときに滑らかに乗り上げる形となり、開閉部材を閉めるときの抵抗を小さく抑えることができる。
【００１２】
本発明は、パチンコホールに設置するときの設置台になる矩形状の外枠と、その外枠の一側を回動支点として外枠の前面側を開閉可能に取り付けられた中枠に適用することができることはもちろん、外枠に対して開閉可能に取り付けられた矩形状の中枠と、その中枠の一側を回動支点として中枠の前面側を開閉可能に取り付けられた前面枠にも適用することができる。
【発明の効果】
【００１３】
この発明の遊技機は、回動支点に近い側に設けられた傾斜案内面が、前後方向には前側から後側に向かって高くなる方向であって、左右方向には回動支点に近い側から遠い側に向かって高くなる方向に傾斜しているので、開閉部材を閉めるときに開閉部材が傾斜案内面に滑らかに乗り上げる形となり、開閉部材を閉めるときの抵抗が小さく、開閉部材を円滑に開閉操作することができる。
【図面の簡単な説明】
【００１４】
【図１】本発明の実施形態のパチンコ機の正面図
【図２】遊技盤の正面図
【図３】図１に示すパチンコ機の斜視図
【図４】図３の前面枠を開放した状態を示す斜視図
【図５】図４に示すパチンコ機を下方から見た底面図
【図６】図１の案内部付近の拡大図
【図７】図６に示す案内部の拡大図
【図８】図６に示す案内部を側方から見た部分断面図
【図９】図８の案内部付近の拡大図
【図１０】前面枠を閉鎖方向に回動させるときの前面枠と傾斜案内面の関係を示す平面図
【図１１】図１０に示す前面枠を閉鎖方向に更に回動させた状態を示す平面図
【図１２】図１０に示す前面枠が中枠の前面側を閉鎖した状態を示す平面図
【図１３】図７に示す案内部の変形例を示す正面図
【発明を実施するための形態】
【００１５】
以下、本発明を具体化した実施形態のパチンコ機１について、図１〜１１にしたがって詳細に説明する。
【００１６】
図１に示すように、パチンコ機１は、パチンコホールに設置するときの設置台になる外枠２と、外枠２の一側部の上下に固定されたヒンジ片３で回動可能に支持される中枠４と、中枠４の一側部の上下に固定されたヒンジ片５で回動可能に支持される前面枠６とを備えている。
【００１７】
外枠２は、木製の板材を枠組みして前後に開口する矩形状に形成され、その外枠２の前面側を矩形状の中枠４が開閉するようになっている。中枠４には、図２に示すように、遊技球が転動可能な遊技領域７を有する遊技盤８と、遊技領域７に設けられた入賞装置９に遊技球が入ったときに大当たり抽選を演出表示する表示装置１０と、図示しない各種制御基板が装着されている。
【００１８】
図３及び図４に示すように、前面枠６は中枠４の前面側を開閉する。前面枠６には、中枠４の前面側を閉鎖した状態で遊技盤８を視認可能とするガラス板１１が装着されている。
【００１９】
図３に示すように、前面枠６の下部には、払出口１２を通って払い出された遊技球を貯留して遊技球発射装置１３（図４参照）へと誘導する上皿１４が一体に設けられている。一方、中枠４の下枠には、上皿１４から溢れた遊技球を貯留する下皿１５と、下皿１５の取り付け基板１６とからなる下皿ユニット１７が組み付けられている。上皿１４が払出口１２から払い出された遊技球で一杯になったとき、上皿１４から溢れた遊技球は、中枠４に設けられた溢れ玉通路１８（図４参照）を通って下皿１５に払い出される。
【００２０】
図４に示すように、下皿１５の右側には発射ハンドル１９が取り付けられており、この発射ハンドル１９に設けられた発射レバー２０を回動操作することにより、上皿１４に貯留された遊技球が遊技球発射装置１３から遊技盤８に発射されるようになっている。
【００２１】
中枠４の下枠上面には、前面枠６を閉めた状態で前面枠６の下側に対向する対向部に、中枠４の前面開口の下縁に沿って左右に細長く延びる枠嵌合部２１と、枠嵌合部２１に対して前面枠６の回動支点Ｏ（図１０参照）に近い側（図では左側）に配置された案内部２２と、枠嵌合部２１に対して前面枠６の回動支点Ｏから遠い側（図では右側）に配置された第２案内部２３とが設けられている。
【００２２】
枠嵌合部２１は、前面枠６を閉めた状態で前面枠６の下端と上下に重なって枠の合わせ目となる部分である。枠嵌合部２１の後端には折り返し部２４が設けられており、この折り返し部２４によって、前面枠６と中枠４の合わせ目からパチンコ機１の内部にピアノ線やセルロイド板等の器具を差し込む不正行為（いわゆるピアノ線ゴトやセルゴト）を防止するようにしている。
【００２３】
案内部２２は、前側から後側に向かって次第に高くなる方向に傾斜した前後方向の稜線を頂部とする山形であり、案内部２２の上面には、その頂部を境に傾斜案内面２５と逃がし面２６が形成されている。
【００２４】
また、案内部２２は、枠嵌合部２１の前縁よりも前方に位置するよう下皿１５の側壁上端に設けられ、前面枠６を閉める際に、前面枠６の下端が中枠４の枠嵌合部２１と上下に重なるよりも早いタイミングで、前面枠６が案内部２２と上下に重なり始めるようになっている。
【００２５】
図５に示すように、前面枠６の下端には、案内部２２に対応して被案内部２７が設けられている。被案内部２７は、前面枠６が閉鎖方向に回動するときに、傾斜案内面２５に接触して案内される部分である。被案内部２７には、傾斜案内面２５との摺動抵抗を小さく抑えるために、前後方向に延びる複数の突起２８が左右方向に間隔をおいて形成されている。
【００２６】
図６及び図７に示すように、傾斜案内面２５は、前後方向には前側から後側に向かって高くなる方向に傾斜し、かつ、左右方向には前面枠６の回動支点Ｏに近い側（図では左側）から遠い側（図では右側）に向かって高くなる方向に傾斜している。すなわち、傾斜案内面２５は、閉鎖方向に回動する前面枠６を迎える方向に傾斜しており、その傾斜によって前面枠６を上方に案内する。
【００２７】
一方、逃がし面２６は、前面枠６の回動支点Ｏに近い側（図では左側）から遠い側（図では右側）に向かって低くなる方向に傾斜している。ここで、傾斜案内面２５と逃がし面２６とがなす頂角は鈍角（好ましくは１７０°以上の鈍角）となっており、このように案内部２２の頂部を鈍角とすることにより、案内部２２の頂部に前面枠６が摺接したときの引っ掛かりを防止している。
【００２８】
また、図８及び図９に示すように、前面枠６には、被案内部２７の前方を下方に延びる遮蔽板２９が設けられており、この遮蔽板２９で、案内部２２と被案内部２７の隙間を前方から覆ってピアノ線ゴトやセルゴトを防止するようになっている。
【００２９】
図４に示すように、第２案内部２３は、下皿１５の左右の側壁のうち、前面枠６の回動支点Ｏから遠い側の側壁上端に設けられており、案内部２２と同様に、前面枠６を閉める際に、前面枠６が中枠４の枠嵌合部２１に重なり始めるよりも早いタイミングで前面枠６を案内するようになっている。第２案内部２３は、左右方向に間隔をおいて形成された前後方向に延びる複数の突起状に形成され、第２案内部２３の頂部には、前側から後側に向かって次第に高くなる傾斜が設けられている。図５に示すように、前面枠６の下端には、第２案内部２３に対応して第２被案内部３０が設けられている。第２被案内部３０は、前面枠６が閉鎖方向に回動するときに第２案内部２３に接触する平坦面である。
【００３０】
以上の構成からなるパチンコ機１において、遊技盤８内で球詰まりなどのトラブルが発生した場合、パチンコホールの従業員はそのトラブルを取り除くため、図４に示すように前面枠６を開放する。このとき、前面枠６は、ガラス板１１やその他の付属品の重みで先端側が回動支点側よりも下がった状態となりやすく、特に、長期にわたって開閉動作を繰り返すと、回動支点の遊びが次第に大きくなるので、前面枠６の垂れ下がりが大きくなる。そのため、前面枠６を閉めるときに、前面枠６の下端が中枠４の縁（例えば、下皿１５の側壁上端の縁）に干渉するおそれが生じるが、本実施形態のパチンコ機１においては、前面枠６を閉める際に、前面枠６が案内部２２の傾斜案内面２５と第２案内部２３とで上方に案内されるので、前面枠６を持ち上げ気味にしなくても、前面枠６の下端が中枠４の縁に干渉しない。
【００３１】
この前面枠６を閉める動作を、図１０〜１２にしたがって詳細に説明する。
図１０に示すように、前面枠６を閉鎖方向に回動させると、前面枠６の被案内部２７が、前後方向に対して斜めの方向から傾斜案内面２５に進入し、その後、被案内部２７が傾斜案内面２５に接触して、その傾斜案内面２５の傾斜に沿って前面枠６が上方に案内される。
【００３２】
ここで、傾斜案内面２５は、前後方向の傾斜に加えて、左右方向にも前面枠６の回動支点Ｏに近い側から遠い側に向かって高くなる方向に傾斜しているので、被案内部２７の傾斜案内面２５への進入方向が、傾斜案内面２５の傾斜に対してほぼ正面から進入する方向となる。したがって、被案内部２７が傾斜案内面２５への接触を開始するときに、被案内部２７が傾斜案内面２５に滑らかに乗り上げる形となり、傾斜案内面２５への乗り上げ抵抗が小さい。
【００３３】
さらに前面枠６を閉鎖方向に回動させると、図１１に示すように、前面枠６の第２被案内部３０が第２案内部２３に進入し、その後、第２被案内部３０が第２案内部２３に接触して、第２案内部２３の頂部の傾斜に沿って前面枠６が上方に案内される。ここで、第２案内部２３には、案内部２２の傾斜案内面２５のような左右方向の傾斜が設けられていないが、第２被案内部３０の位置での前面枠６の回転半径は大きいので、第２被案内部３０の第２案内部２３への進入方向は、第２案内部２３の頂部の傾斜に対してほぼ正面から進入する方向となる。
【００３４】
さらに前面枠６を回動させると、図１２に示すように、前面枠６が中枠４の枠嵌合部２１に重なって、中枠４の前面側が閉鎖する。
【００３５】
このように、本実施形態のパチンコ機１は、中枠４の一側を回動支点Ｏとして取り付けられた前面枠６を案内する傾斜案内面２５が、前後方向の傾斜に加えて、左右方向にも前面枠６の回動支点Ｏに近い側から遠い側に向かって高くなる方向に傾斜しているので、前面枠６の傾斜案内面２５への進入方向が、傾斜案内面２５の傾斜に対してほぼ正面から進入する方向となる。したがって、前面枠６が傾斜案内面２５への接触を開始するときに滑らかに乗り上げる形となり、前面枠６を閉めるときの抵抗が小さく、前面枠６を円滑に開閉することができる。
【００３６】
なお、本実施形態では、案内部２２を、前側から後側に向かって次第に高くなる方向に傾斜した前後方向に延びる稜線を頂部とする山形に形成したが、これに限定されるものではなく、例えば図１３に示すように、案内部２２を、前側から後側に向かって次第に高くなる方向に傾斜した前後方向に延びる細長い平面３１を頂部とする山形とし、その平面３１に隣接して傾斜案内面２５を形成してもよい。このようにすると、前面枠６が閉まったときに平面３１で前面枠６を支持するので、線形状の頂部で前面枠６を支持する場合に比べて、安定して前面枠６を支持することが可能となる。また、案内部２２の上面全域が傾斜案内面２５となるように形成してもよい。
【００３７】
また、本実施形態では、中枠４の一側を回動支点Ｏとして中枠４の前面側を開閉可能に取り付けられた前面枠６の開閉構造に本発明を適用したが、本発明は、外枠２の一側を回動支点として外枠２の前面側を開閉可能に取り付けられた中枠４の開閉構造にも適用することができる。
【００３８】
また、本実施形態では、枠状部材の前面側を開閉可能に取り付けられた開閉部材として、ガラス枠と上皿とが一体となった前面枠６を例に挙げて説明したが、本発明は、ガラス枠と上皿とが別々に開閉可能とされたパチンコ機のガラス枠の開閉構造および上皿の開閉構造にも適用することができる。本発明は、遊技機における枠状部材の前面側を開閉可能に取り付けられた開閉部材であれば適用可能である。ここで、枠状部材とは、少なくとも前面側が開口した構造のものをいい、後面側が閉塞した箱形構造のもの（例えばスロットマシンの筐体）も含む。
【符号の説明】
【００３９】
１・・・パチンコ機、４・・・中枠、６・・・前面枠、２２・・・案内部、２５・・・傾斜案内面、Ｏ・・・回動支点
【図１】
2011224312.tif 000003
【図２】
2011224312.tif 000004
【図３】
2011224312.tif 000005
【図４】
2011224312.tif 000006
【図５】
2011224312.tif 000007
【図６】
2011224312.tif 000008
【図７】
2011224312.tif 000009
【図８】
2011224312.tif 000010
【図９】
2011224312.tif 000011
【図１０】
2011224312.tif 000012
【図１１】
2011224312.tif 000013
【図１２】
2011224312.tif 000014
【図１３】
2011224312.tif 000015